(57)【要約】【課題】従来のドーム型テントでは、天井部に手が届かないほどの大型テントでは、一人では容易に組立てができず、重量も重くコストがかかる問題があった。【解決手段】フロアシートを張り広げ角部を固定されたドーム状を形成するテントを設け、複数のフレームパイプの一端を折畳み可能に連結する天頂金具をテント内部の天頂部に押し当て仮固定する支柱により、大型テントでも一人で容易に組立可能としたドーム型テントである。【選択図】図１
2019218791.tif 000002
【特許請求の範囲】
【請求項１】
フロアシートを張り広げ角部を固定されたドーム状を形成するテントもしくはタープテントを設け、複数のフレームパイプの一端を折畳み可能に連結する天頂金具を、前記テントもしくはタープテントの内部からテント天頂部に押し当て、仮固定する支柱を立てて組立するドーム型テントである。
【発明の詳細な説明】
【技術分野】
【０００１】
本発明は、ドーム状に組立てたフレームパイプに沿うようにテントシートを張る組立て式のドーム型テントやドーム型タープテントに関する。
【背景技術】
【０００２】
ドーム状に組立てたフレームパイプに沿うようにシートを張る組み立て式のドーム型テントや、傘骨等に用いられる開閉金具を用いてフレームパイプを広げる構造のものが知られている。
【先行技術文献】
【特許文献】
【０００３】
【特許文献１】特開２００８-４５３１３  ドーム型テント
【特許文献２】実開平６-４５００５  テント
【特許文献３】特開２００２−１２９７８１  簡易テント
【特許文献４】実願昭５１−１７６５９６  折り畳み式携帯用半球形テント
【発明の概要】
【発明が解決しようとする課題】
【０００４】
特開２００８-４５３１３、実開平６-４５００５、ではテントシートの外面に設けたスリーブに複数のフレームパイプを挿入して組み立てる構造のため、大型のテントでは、一人で組み立てることが困難であった。
【０００５】
また、フレームパイプでテントを吊り下げて支える構造のため、パイプやスリーブ部に風圧抵抗を受けるため部材強度を必要とする問題が有った。
【０００６】
特開２００２−１２９７８１、実願昭５１−１７６５９６、では傘骨等に用いられる開閉金具を用いてフレームパイプを広げる構造が用いられているため、手動で支持骨を押し上げ、ストッパーで固定する手段を設けている。
【０００７】
このため構成部品が多く、重量が重くなることや、押し上げるための腕力が必要なため、大きいテントには利用できないという問題があった。
【課題を解決するための手段】
【０００８】
本願発明のドーム型テントでは、フロアシートを張り広げ、角部を固定されたドーム状を形成するテントを設け、複数のフレームパイプの一端を折畳み可能に連結する天頂金具を、テント内部からテント天頂部に押し当て仮固定する支柱を設けてある。
【０００９】
仮固定された天頂金具には、連結折畳み可能なフレームパイプの端部が連結されており、天頂金具が仮固定された状態で、フレームパイプを連結し、フレームパイプの他方の端部をフロアシートの角部にあてはめ、更にフレームパイプをパイプ止めに固定する。
【００１０】
支柱も折畳み連結もしくは収縮可能な構造で、下部を浮かせた後、支柱上部の天頂金具と連結された部材を引き下げると、フレームパイプは、アーチ状に湾曲し、テントシートを内部から拡張せしめる。ここで天頂金具のパイプ固定具により、フレームパイプ同士を連結固定すると、フレームパイプはドーム状で保持され、テント内に大きな空間を形成する。
【発明の効果】
【００１１】
本願発明のドーム型テントによれば、天頂部に手が届かない大型テントでも、支柱により一人でも容易に設営が可能となる。
【００１２】
更に、フレームパイプとテントシートが密着固定されるため、強度が高く、外部に風圧抵抗となるものが無いため、更に強度を増す効果が生じる。
【図面の簡単な説明】
【００１３】
【図１】本願発明の実施例を示す斜視図である。
【図２】本願発明の天頂金具の例を示す斜視図である。
【図３】本願発明の作用（組立手順）を示す斜視図である。
【図４】本願発明の応用例を示す斜視図である。
【発明を実施するための形態】
【００１４】
図1は、本願発明の実施例で、フロアシートを張り広げ、角部を固定されたドーム状を形成するテントを設け、複数のフレームパイプの一端を折畳み可能に連結する天頂金具を、テント内部からテント天頂部に押し当て仮固定する、着脱可能な支柱を設けてある。
【００１５】
仮固定された天頂金具には、連結折畳み可能なフレームパイプの端部が連結されており、天頂金具が仮固定された状態で、フレームパイプを連結し、フレームパイプの他方の端部をフロアシートの角部にあてはめ、更にフレームパイプをパイプ止めに固定する。
【００１６】
支柱は、折畳み連結もしくは伸縮可能な構造で、下部を浮かせた後、支柱上部の天頂金具と連結された部材を引き下げると、フレームパイプはアーチ状に湾曲し、テントシートを内部から拡張せしめる。
ここで天頂金具のパイプ固定具により、フレームパイプ同士を連結固定すると、フレームパイプはドーム状で保持され、支柱を取り外すとテント内には、仕切りのない大きな空間を形成する。
【００１７】
図２には、本願発明のパイプ固定具の実施例を２例挙げており、上部のＡ例では、天頂金具が支柱で引き下げられ、フレームパイプと水平な位置で筒状のガイドをスライドすることで、天頂金具とフレームパイプ同士を連結固定可能としている。
【００１８】
他方、下部のＢ例では、天頂金具が支柱で引き下げられ、フレームパイプと水平な位置になるとスプリングで横にスライドし、自動で天頂金具とフレームパイプ同士を連結固定可能としている。
【００１９】
図３には、本願発明の作用（組立手順）を示しており、手順の最初は、ドーム型テントのフロアシートを張り拡げ、端部のペグアタッチメントにペグを打ち込み固定する。
タープテントの場合は、フロアシートは、各端部を繋ぐ紐状体でも可能である。
【００２０】
次に、フレームパイプの端部と連結した天頂金具に支柱を取付け、テント内部に入り、天頂金具をテント天頂部に押し当て支柱を立てて仮固定する。
【００２１】
次に、フレームパイプを連結し、フレームパイプの他方の端部をフロアシートの角部に当てはめ、更にフレームパイプをパイプ止めに固定する。
【００２２】
次に、支柱下部を浮かせ、支柱上部の天頂金具と連結された部材を引き下げると、フレームパイプはアーチ状に湾曲し、テントシートを内部から拡張せしめる。
【００２３】
ここで天頂金具のパイプ固定具により、フレームパイプ同士を連結固定すると、フレームパイプはドーム状で保持され、支柱を取り外すとテント内には、仕切りの無い大きな空間を形成する。
【００２４】
このように、天井が届かないほどの大型テントで在りながら、組立手順はすべて一人の設営者で可能なことを示しており、アーチ状のフレームパイプとテントシートは密着固定されるため、フレームパイプの拡張力とテントシートの収縮力の相乗作用により強固にドーム形状が形成される。
【００２５】
図４には、本願発明の応用例を示しており、内部にインナーテントを設けた２ルーム型や２つのテントを結合したもの、更に形状の異なるテントを結合したデザインも容易に形成可能なことを示している。
【産業上の利用可能性】
【００２６】
本願発明のドーム型テントによれば、従来に比べ軽量で簡素なため、コストが低く、強度も向上させ、組立ても容易となるドーム型テントを提供可能となる。
【符号の説明】
【００２７】
１    テントシート
２    フロアシート
３    出入口
４    ペグアタッチメント
５    ペグ
６    パイプ止め
７    フレームパイプ
８    天頂金具
９    パイプ固定具
１０  支柱
１１  スプリング
１２  設営者
【図１】
2019218791.tif 000003
【図２】
2019218791.tif 000004
【図３】
2019218791.tif 000005
【図４】
2019218791.tif 000006